(57)【要約】【課題】前面扉の裏側に軸着された透明板の回動範囲を規制して遊技盤等の破損を防止する弾球遊技機を提供する。【解決手段】パチンコ機２の前面に開閉自在に軸着される前面扉４の裏面４ｂには、ガラスユニット２０のガラス支軸部２５を挿脱自在且つ回動自在に保持するガラス支持部３３を設けられている。ガラス支持部３３の上方には、両側端部にリブ４０ａ，４０ｂが設けられたストッパ保持部４０が支持片３２に固着されており、ストッパ保持部３２にはゴムを素材とする略方形のストッパ４１が着脱自在に取り付けられる。ガラスユニット２０はストッパ４１に当接することによって、遊技盤側への回動範囲が規制される。【選択図】        図３
2007044359.tif 000002
【特許請求の範囲】
【請求項１】
遊技球が打ち出される遊技領域を有する遊技盤が取り付けられる本体基部と、前記遊技領域を視認可能にする開口を有し、前記本体基部の前面に対して開閉自在となるように前記本体基部に軸着される前面扉と、前記開口に対して開閉自在となるように前記前面扉の裏面に軸着される透明板とを備えた弾球遊技機において、
前記前面扉の裏面の、前記透明板を軸着する軸部の近傍に設けられ、前記透明板の回動範囲を規制する規制部材を備えたことを特徴とする弾球遊技機。
【請求項２】
前記透明板は、前記前面扉に着脱自在であり、前記透明板または前記前面扉のいずれか一方に前記軸部が設けられ、他方に前記軸部が挿入される軸受け部が設けられ、前記規制部材は、前記軸受け部に挿入された状態の前記軸部に対して、挿入方向の反対側に配設され、前記軸部に接する当接位置と、離れる離隔位置とに移動可能であることを特徴とする請求項１記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
遊技場に設置される弾球遊技機の一つであるパチンコ機は、本体基部内に遊技盤が着脱自在に配設されており、その遊技盤の前面には開閉自在な前面扉が設けられている。前面扉には遊技盤に形成されている遊技領域を視認可能にする開口が形成されており、この開口を遮蔽するとともに、遊技領域を覆う複層ガラスが取り付けられている。このようなパチンコ機では遊技場に設置されている状態で、且つ前面扉が施錠装置によって閉じられているときｘには、何人もパチンコ機の内部の遊技盤や電子機器等には触れることができないようになっている。
【０００３】
パチンコ機の多くは機種に関わらず多くの共通部品が使用されているため、共通部品を容易に着脱できるようにして、遊技場などにおける機種入れ替えで共通部品を再利用したり、パチンコ機における破損や故障などが生じた際の部品交換を容易にすることが図られており、遊技領域を覆う複層ガラスを前面扉に固着せず、扉状の部材（透明板）として着脱自在且つ回動自在に前面扉の裏面に軸着するパチンコ機が特許文献１などで提案されている。
【特許文献１】特開２００５−２１６５０
【発明の開示】
【発明が解決しようとする課題】
【０００４】
しかしながら、上記のような弾球遊技機では、前面扉を開放して透明板を交換する際に、透明板が回動して遊技盤等に衝突し、透明板や遊技盤等が破損してしまうという問題があった。
【０００５】
本発明は、前面扉の裏側に軸着された透明板の回動範囲を規制して遊技盤等の破損を防止する弾球遊技機を提供することを目的とする。
【課題を解決するための手段】
【０００６】
本発明の弾球遊技機は、遊技球が打ち出される遊技領域を有する遊技盤が取り付けられる本体基部と、前記遊技領域を視認可能にする開口を有し、前記本体基部の前面に対して開閉自在となるように前記本体基部に軸着される前面扉と、前記開口に対して開閉自在となるように前記前面扉の裏面に軸着される透明板とを備えたものであって、前記前面扉の裏面の、前記透明板を軸着する軸部の近傍に設けられ、前記透明板の回動範囲を規制する規制部材を備えたことを特徴とするものである。
【０００７】
また、前記透明板は、前記前面扉に着脱自在であり、前記規制部材と前記開口との間には、遊技領域方向へ突出するリブが前記開口の側縁部に略平行となるように設けられ、前記透明板または前記前面扉のいずれか一方に前記軸部が設けられ、他方に前記軸部が挿入される軸受け部が設けられ、前記規制部材は、前記軸受け部に挿入された状態の前記軸部に対して、挿入方向の反対側に配設され、前記軸部に接する当接位置と、離れる離隔位置とに移動可能であることが好適である。
【発明の効果】
【０００８】
本発明の弾球遊技機は、前面扉の裏面の、透明板を軸着する軸部の近傍に設けられ、透明板の回動範囲を規制する規制部材を備えたので、透明板が回動して遊技盤等に衝突することを規制し、透明板や遊技盤等が破損してしまうことを防止することができる。
【０００９】
また、透明板を前面扉に着脱自在とすることによって透明板の交換を容易とすることができ、規制部材と開口との間に遊技領域方向へ突出するリブを開口の側縁部に略平行となるように設けることによって開口と透明板との間隙に挿入された異物を妨げることができ、規制部材を、軸受け部に挿入された状態の軸部に対して、挿入方向の反対側に配設し、軸部に接する当接位置と、離れる離隔位置とに移動可能とすることによって、透明板と前面扉との間隙に挿入された異物が通過することを規制部材で妨げることができる。
【発明を実施するための最良の形態】
【００１０】
図１に示すように、パチンコ機（弾球遊技機）２は、枠状の本体基部３と前面扉４とを備えている。前面扉４は、本体基部３に軸支されており、本体基部３の前面を開閉する。本体基部３にはパチンコ球（遊技球）が打ち出される遊技領域５ａが形成された遊技盤５が嵌め込まれている。遊技盤５の背面には、メイン制御基板（不図示）やサブ制御基板（不図示）が設けられている。メイン制御基板は、機種に応じた遊技の実行処理を行うとともに、サブ制御基板に対して命令を行う。サブ制御基板は、メイン制御基板の命令に基づいて図柄表示装置６の表示制御、前面扉４の前面に設けられ、遊技の演出時やエラーを報知する際に発光されるランプ７の点灯制御、同じく前面扉４の前面に設けられ、遊技の演出時やエラーを報知する際に音声を発生するスピーカ８から出力される音声制御などの各駆動装置の作動を制御する。
【００１１】
遊技領域５ａには、図柄表示装置６の他に、始動入賞口９、通常入賞口１０、通過入賞口１１、アタッカ１２、アウト口１３が設けられている。図示は省略してあるが、遊技領域５ａにはその他複数の障害釘や風車などが適宜箇所に設けられている。
【００１２】
操作ハンドル１４が操作されると、パチンコ球の発射装置によってパチンコ球が遊技盤５の遊技領域５ａに打ち出され、打ち出されたパチンコ球が始動入賞口９、通常入賞口１０、通過入賞口１１、アウト口１３のいずれかに入る。始動入賞口９にパチンコ球が入賞すると当たり又はハズレを決定する抽選が行われるとともに図柄表示装置６が作動される。図柄表示装置６では、図柄の可変表示及び抽選の結果に応じた演出表示などが行われる。そして、図柄が停止表示されたときに、予め定められた図柄の組み合わせが表示されていると当たりとなり、通常状態から遊技者にとって有利となる当たり状態へと所定期間移行される。
【００１３】
当たり状態となると、当たり状態一回につきアタッカ１２が、その奥に設けられている大入賞口（不図示）を所定時間又はパチンコ球が所定個数入賞するまで開放するように回動され、これが所定回数繰り返される。始動入賞口９、通常入賞口１０、大入賞口にパチンコ球が入賞すると、入賞した入賞口の種類に応じて所定個数のパチンコ球が払い出し口１５から受皿１６に払い出される。一方、始動入賞口９、通常入賞口１０、大入賞口に入賞しなかったパチンコ球はアウト口１３に入ってハズレ球として回収される。
【００１４】
図２に示すように、前面扉４は本体基部３の前面に対して開閉自在となるように本体基部３に軸着されている。前面扉４には遊技領域５ａを視認可能にする開口４ａが形成されている。また、前面扉４の裏面４ｂにはガラスユニット（透明板）２０が設けられており、このガラスユニット２０は、開口４ａを塞ぐガラス２０ａを有している。
【００１５】
図３に示すように、ガラスユニット２０は、略矩形状のガラス２０ａと、このガラス２０ａを縁取っているガラス枠２０ｂとを備えている。ガラス２０ａは、上面の中央部が上方に向けて略台形状にやや盛り上がっており、開口４ａを塞ぐように成形されている。ガラス枠２０ｂにおける一方の側面２０ｃの上下には一定の間隔を離間させてガラス支軸部（軸部）２５が１つずつ設けられており、このガラス支軸部２５はガラス枠２０ｂに一体成形されている。
【００１６】
このガラス支軸部２５は、ガラスユニット２０を前面扉４に着脱自在で且つ回動自在に軸支させるためのものであり、側面２０ｃから離反するように延設されたガラス腕部２５ａと、このガラス腕部２５ａの下面から下方に向けて突設された円柱状のガラス支軸２５ｂとから構成されている。
【００１７】
ガラス枠２０ｂにおける他方の側面２０ｄの上下には一定の間隔を離間させて略矩形状の突片２６が１つずつ設けられている。この突片２６は側面２０ｄから離反するように突出しており、ガラス枠２０ｂに一体成形されている。
【００１８】
前面扉４の背面視（裏面４ｂ側から見て）右上端部には上方に向けて突出した軸心を有する円柱状の上支軸２８が設けられ、背面視右下端部には上支軸２８の軸心と同軸上になるように下方に向けて突出した軸心を有する円柱状の下支軸２９が設けられている。上支軸２８の円周部には、上支軸２８の軸心方向と略直交する外方に向かって板状の操作レバー３０が連結されており、この操作レバー３０は後述する支持片３２に形成されている縦長の開口３２ａから突出している。
【００１９】
前面扉４の背面視右上端部には上支軸２８の径よりも僅かに大きい径を有する有底円筒状のガイド穴３１ａが形成されており、このガイド穴３１ａは有底円筒状の開口から差し込まれた上支軸２８を収容するものとなる。ガイド穴３１ａの内部の底には圧縮コイルバネ３１ｂの一端が固着されており、上支軸２８の底面には圧縮コイルバネ３１ｂの他端が固着されている。これにより、上支軸２８の上端部は圧縮コイルバネ３１ｂの付勢力によってガイド穴３１ａから突出する。
【００２０】
ガイド穴３１ａは、ガイド穴３１ａの内部から開口３２ａに連通する連通部を有しており、この連通部を介して開口３２ａに操作レバー３０を突出させる。開口３２ａから突出している操作レバー３０を下方向に操作すると、上支軸２８は圧縮コイルバネ３１ｂの付勢に抗しながら下方向に移動してガイド穴３１ａの内部に引き込まれる。操作レバー３０による下方向への操作を解除すると、上支軸２８は圧縮コイルバネ３１ｂの付勢力により上方向に移動してガイド穴３１ａの内部から外部に向けて突出する。なお、下支軸２９は前面扉４の下面に一体成形されている。
【００２１】
前面扉４の裏面４ｂは平坦面になっている。この裏面４ｂには開口４ａを取り囲むように枠２７が設けられている。枠２７はガラスユニット２０のガラス枠２０ｂと略相似形状に形成されている。この枠２７の縁には、ガラスユニット２０が前面扉４に取り付けられた際にガラス枠２０ｂが突き当てられる。
【００２２】
裏面４ｂの右側部には、前面扉４の裏面を形成する一部として、裏面４ｂから後方に向けて枠２７の厚みｔ分だけ間隔を空けた突出位置に前面扉４の縦方向の長さと略同等な縦長で薄板状の支持片３２が裏面４ｂと略平行になるように設けられている。この支持片３２は、裏面４ｂに対して略直交するようにして裏面４ｂに固定された薄板を裏面４ｂから後方に向かう厚みｔ分の位置で折り曲げることにより成形される。支持片３２の上下には一定の間隔を離間させて、且つガラスユニット２０のガラス支軸部２５に対応するようにガラス支持部３３が１つずつ設けられている。
【００２３】
ガラス支持部３３は、ガラス支軸部２５を挿脱（挿脱）自在で且つ回動自在に保持するためのものである。ガラス支持部３３は、支持片３２に対して略直交するように支持片３２から後方に向けて突出している薄板において、上下を反転させた略Ｌ字状になるようにその上部を下部に対して折曲して成形したガラス受け台３３ａと、このガラス受け台３３ａに形成されており、上下方向に貫通しているガラス支持孔（軸受け部）３３ｂとから構成されている。
【００２４】
ガラス支持孔３３ｂは、ガラス支軸２５ｂが挿脱自在となるようにガラス支軸２５ｂの径よりも僅かに大きく形成されている。よって、ガラス支軸２５ｂをガラス支持孔３３ｂに挿入することによりガラスユニット２０が前面扉４に回動自在に軸支され、ガラス支持孔３３ｂからガラス支軸２５ｂを引き抜くことによりガラスユニット２０が前面扉４から取り外される。
【００２５】
裏面４ｂにおける左側部の上下には一定の間隔を離間させて、且つガラスユニット２０の突片２６に対応して係止させるようにガラス止め部材３５が設けられている。ガラス止め部材３５は、裏面４ｂに対して略直交するように裏面４ｂから後方に突出した軸心を有する円柱状の回動軸３５ａと、この回動軸３５ａの周面に一体成形されている係止片３５ｂとから構成されている。回動軸３５ａは摩擦機能により所望の角度でフリーストップできるように裏面４ｂに回動自在に組み込まれている。これにより係止片３５ｂは無段階式に回動される。
【００２６】
ガラス支持部３３それぞれの上方には、ストッパ保持部４０が支持片３２に固着されている。ストッパ保持部４０は、遊技領域５方向へ突出するリブ４０ａと、これに略平行なリブ４０ｂとが両側端部に設けられ、水平面に平行な断面が略コ字状となっている。リブ４０ａは、開口４ａのガラス支持部３３側の側縁部４ｃに略平行であり、開口４ａとガラスユニット２０との間隙に挿入された異物を妨げるようになっている。リブ４０ａとリブ４０ｂとの間にはゴムを素材とする略方形のストッパ４１が着脱自在に取り付けられる。ストッパ（規制部材）４１は、後述するように、ガラス２０ａを含むガラスユニット２０の回動範囲を規制するものである。なお、ストッパ保持部４０が支持片３２に固着される方法は、溶接や螺着など、適宜の方法を用いて良く、また、支持片３２の一部としてストッパ保持部４０を形成しても良い。
【００２７】
ガラス支軸部２５、ストッパ保持部４０及びストッパ４１の詳細を図４及び図５に示す。ストッパ保持部４０の下端と、ガラス支持部３３に挿入されたガラス支軸部２５との間には、ガラス支軸２５ｂをガラス支持孔３３ｂに挿脱する際にリブ４０ａが障害とならないように、十分なクリアランスが設けられている。また、リブ４０ａ，４０ｂそれぞれの互いに対面する壁面上には、長軸が対面するリブ４０ａ，４０ｂに向いた円柱状の突起４０ｃが突設されている。
【００２８】
ストッパ４１の両側面には下端から略中央部まで上下方向に亙る案内溝４１ａが設けられている。案内溝４１ａの幅及び深さは突起４０ｃの直径及び長さのそれぞれとほぼ等しくなっており、また、ストッパ４１の前面をストッパ保持部４０の後面４０ｄに密着させたときに案内溝４１ａと突起４０ｃの前後の位置が同じになるようになっている。ストッパ４１をストッパ保持部４０に取り付ける際には、ストッパ４１の前面をストッパ保持部４０の後面４０ｄに密着させて突起４０ｃを案内溝４１ａに嵌めながら、案内溝４１ａの上端部に突起４０ｃが当接するまでストッパ４１を下方に移動させる。すると、ストッパ４１の前後及び下方向への移動が突起４０ｃと案内溝４１ａとの係合によって規制され、左右方向への移動がリブ４０ａ，４０ｂによって規制され、突起４０ｃの長軸を回動軸とする回動が後面４０ｄによって規制される。
【００２９】
ストッパ４１は、ガラス支軸２５ｂをガラス支持孔３３ｂに挿脱する際には、案内溝４１ａと突起４０ｃの摺動に沿って上方に移動させ、リブ４０ａの下端とガラス支軸部２５との間のクリアランスがガラス支軸２５ｂをガラス支持孔３３ｂに差し入れることが可能な間隔となるように、ガラス支持孔３３ｂに挿入された状態のガラス支軸部２５から離れた離隔位置（図５（Ａ）に示す）とする。ガラス支軸２５ｂをガラス支持孔３３ｂに挿入した後には、ストッパ４１は、案内溝４１ａと突起４０ｃの摺動に沿って垂直下方に移動させ、リブ４０ａの下端とガラス支軸部２５との間のクリアランスが閉塞されるように、ガラス支持孔３３ｂに挿入された状態のガラス支軸部２５に接する当接位置（図５（Ｂ）に示す）とする。これにより、ガラスユニット２０を前面扉４に着脱することを妨げることがなく、また、ガラスユニット２０が前面扉４に取り付けられているときには、ガラスユニット２０と前面扉４との間隙に挿入された異物がリブ４０ａとガラス支軸部２との間のクリアランスを通過することを妨げることができる。なお、案内溝４１ａの幅と突起４０ｃの直径の関係は、着脱時の作業性などを考慮して適宜設定すれば良い。
【００３０】
上記構成による作用について図６を用いて説明する。ガラスユニット２０は、ガラス止め部材３５による係止がないときには、ガラス支軸２５ｂを軸として前面扉４の後方へ回動自在となる。ガラスユニット２０の回動範囲は、ガラス枠２０ｂが前面扉の裏面４ｂに当接する位置（図中、実線で示す）から、ガラス枠２０ｂの側面２０ｃがストッパ４１に当接する位置（図中、二点鎖線で示す）となる。即ち、前面扉４とともにガラスユニット２０が本体基部３に取り付けられている際には、ガラスユニット２０の遊技盤側への回動範囲がストッパ４１によって規制され、ガラスユニット２０が回動して遊技盤等に衝突することによるガラスユニット２０や遊技盤等の破損を防止することができる。
【００３１】
なお、上記実施形態では、ストッパ４１は、ゴムを素材とする略方形のものであったが、ガラスユニット２０の一部に当接して、ガラスユニット２０の回動範囲を規制できるものであれば、適宜の材質及び形状として良い。また、上記実施形態では、ストッパ４１は案内溝４１ａと突起４０ｃの摺動に沿って上下に移動自在であったが、ストッパ４１が上下に移動自在であれば、例えば、ストッパ４１に上下方向を長軸とする長穴を設けて、長穴と摺動自在なピンによってストッパ４１を前面扉４に取り付けるようにするなど、ストッパ４１を前面扉４に取り付ける形態は適宜の形態として良い。
【図面の簡単な説明】
【００３２】
【図１】本発明を適用したパチンコ機の概観を示す斜視図である。
【図２】前面扉及びガラスユニットを回動させて本体基部の前面を開放した状態を示す斜視図である。
【図３】前面扉及びガラスユニットを示す背面側斜視図である。
【図４】ガラス支軸部、ストッパ保持部及びストッパの関係を示す背面斜視図である。
【図５】ガラス支軸部、ストッパ保持部及びストッパの関係を示す背面図である。
【図６】ガラスユニットの回動範囲を示す平面図である。
【符号の説明】
【００３３】
２  パチンコ機（弾球遊技機）
３  本体基部
４  前面扉
４ａ  開口
５  遊技盤
５ａ  遊技領域
２０  ガラスユニット（透明板）
２５  ガラス支軸部（軸部）
３３ｂ  ガラス支持孔（軸受け部）
４０ａ  リブ
４１  ストッパ（規制部材）
【図１】
2007044359.tif 000003
【図２】
2007044359.tif 000004
【図３】
2007044359.tif 000005
【図４】
2007044359.tif 000006
【図５】
2007044359.tif 000007
【図６】
2007044359.tif 000008